(57)【要約】【課題】本発明は、歯科治療用装置のテーブル本体の側面に、インスツルメントを一時掛止するサブホルダーを設けた歯科治療用装置において、前記サブホルダーへのインスツルメントの格納がしやすく、またサブホルダーの洗浄、消毒を容易にし、衛生面に優れ、かつ施術者にとって使用しやすいサブホルダーを提供することを課題としたものである。【解決手段】歯科治療用装置のテーブル本体の側面に、インスツルメントを一時掛止するサブホルダーを設けてなる歯科治療用装置のサブホルダーにおいて、前記サブホルダーが、複数のインスツルメント格納部を並設してなり、かつそれらの複数のインスツルメント格納部が、多種類のインスツルメントのいずれもを格納可能に構成されてなることを特徴とする歯科治療用装置のサブホルダーによる。【選択図】図３
2015217133.tif 000002
【特許請求の範囲】
【請求項１】
歯科治療用装置のテーブル本体の側面に、インスツルメントを一時掛止するサブホルダーを設けてなる歯科治療用装置のサブホルダーにおいて、
前記サブホルダーが、複数のインスツルメント格納部を並設してなり、かつそれらの複数のインスツルメント格納部が、多種類のインスツルメントのいずれもを格納可能に構成されてなることを特徴とする歯科治療用装置のサブホルダー。
【請求項２】
歯科治療用装置のテーブル本体の側面に、インスツルメントを一時掛止するサブホルダーを設けてなる歯科治療用装置のサブホルダーにおいて、
サブホルダーが前記テーブル本体に対して着脱可能に装着されてなることを特徴とする歯科治療用装置のサブホルダー。
【請求項３】
歯科治療用装置のテーブル本体の側面に着脱可能に装着されてなるサブホルダーが、複数のインスツルメント格納部を並設してなり、かつそれらの複数のインスツルメント格納部が、多種類のインスツルメントのいずれもを格納可能に構成されてなることを特徴とする請求項２に記載の歯科治療用装置のサブホルダー。
【請求項４】
歯科治療用装置のテーブル本体の側面に、インスツルメントを一時掛止するサブホルダーを設けてなる歯科治療用装置のサブホルダーにおいて、
前記サブホルダーが、複数のインスツルメント格納部を並設してなるサブホルダーユニットと、該サブホルダーユニットを支持して歯科治療用装置のテーブル本体の側面に取り付ける取付部材とからなり、前記サブホルダーユニットが前記取付部材に着脱自在に取り付けられてなることを特徴とする歯科治療用装置のサブホルダー。
【請求項５】
前記サブホルダーユニットのインスツルメント格納部が多種類のインスツルメントのいずれもを格納可能に構成されてなることを特徴とする請求項４に記載の歯科治療用装置のサブホルダー。
【請求項６】
前記取付部材が、歯科治療用装置のテーブル下面に着脱自在に取り付けられてなることを特徴とする請求項４又は５に記載の歯科治療用装置のサブホルダー。
【請求項７】
前記サブホルダーをその不使用時に歯科治療用装置のテーブル本体下面に収納可能にしてなることを特徴とする請求項１〜６のいずれか１項に記載の歯科治療用装置のサブホルダー。
【請求項８】
前記サブホルダーをその不使用時にテーブル本体の下面にスライドさせて移動収容するスライド機構を設けてなることを特徴とする請求項１〜７のいずれか１項に記載の歯科治療用装置のサブホルダー。
【請求項９】
前記インスツルメント格納部が、円筒形状体で前面にインスツルメントに接続されたチューブの出入りを可能にするスリットを有し、かつ前記円筒形状体が上部円筒形状体と下部円筒形状体との２段構造をなし、かつ上部円筒形状体の内径が下部の円筒形状体の内径より太く形成されてなることを特徴とする請求項１〜８のいずれか１項に記載の歯科治療用装置のサブホルダー。
【請求項１０】
前記並設された複数のインスツルメント格納部のいずれもが、その上部円筒形状体の内径を最も太いインスツルメントの外径より大きく、下部の円筒形状体の内径を最も細いインスツルメントの外径より小さく、さらにスリットの幅を最も太いインスツルメントチューブの外径より広くとった同一形状のものであることを特徴とする請求項１〜９のいずれか１項に記載の歯科治療用装置のサブホルダー。
【請求項１１】
前記サブホルダーユニットが、並設されたインスツルメント格納部の上端部を板状体で連結、一体化されてなり、かつ該板状体の左右両端部が延伸され、その先端下部には下端部に係止爪を有する固定片が垂設されてなることを特徴とする請求項４〜１０のいずれか１項に記載の歯科治療用装置のサブホルダー。
【請求項１２】
前記スライド機構が、テーブル本体の下面に所定間隔を開けて固着された断面コの字状の２本のガイドレールと、前記２本のガイドレール間に挿入されて摺動する取付部材とからなり、前記取付部材が前端部にサブホルダーを備え、又は前記サブホルダーユニットを着脱自在に装着してなることを特徴とする請求項８に記載の歯科治療用装置のサブホルダー。
【請求項１３】
前記取付部材の前端部にサブホルダーユニットを着脱自在に装着して保持するサブホルダーユニット装着保持部が形成され、前記取付部材の前部の左右両端部に前記サブホルダーユニットの板状体の左右両端部に垂設された固定片の先端の係止爪を挿入してサブホルダーユニットを取付部材に係止可能にする係止孔が穿設されてなることを特徴とする請求項１２に記載の歯科治療用装置のサブホルダー。
【発明の詳細な説明】
【技術分野】
【０００１】
本発明は歯科治療用装置のテーブルに付設され、前記テーブルのインスツルメントホルダーの清掃時等に、該インスツルメントホルダーから取り外されたインスツルメントを一時掛止するサブホルダーに関する。
【背景技術】
【０００２】
従来より、歯科治療の現場においては、施術内容に合わせて各種歯科治療用インスツルメント（以下「インスツルメント」という。）が使用される。一般に、前記インスツルメントは、施術者（医者や補助者）が作業しやすいように、歯科治療用装置に備えられたテーブルの前方に配置されたインスツルメントホルダーに挿入・保持され、施術者が任意に選択して使用できる構成となっている。
このインスツルメントホルダーには、例えば、エアータービンハンドピース、マイクロモーターハンドピース、スリーウェイシリンジ、スケーラー、口腔内カメラ等の各種歯科治療用インスツルメントが挿入・保持される。
【０００３】
そして、上記インスツルメントが挿入・保持されるインスツルメントホルダーは、衛生管理上、清掃が必要となるが、その際には、インスツルメントホルダーに挿入・保持されているインスツルメントをすべて取り外す必要がある。
そのため、取り外されたインスツルメントは、インスツルメントホルダーを清掃している間、一時的にテーブルの上や歯科用治療装置のチェアの上等に置かれることになる。
しかし、各種インスツルメントには、チューブが接続されており、清掃時にそのチューブに接触したり、また清掃時の振動等により、インスツルメントが落下し故障を起こすことがあった。また、一時的とはいえ、衛生面においても好ましくないものであった。
上記、問題を解決するため、本願発明者は、歯科治療用装置のテーブルに設けられたインスツルメントホルダーを清掃する際、該インスツルメントホルダーから取り外されたインスツルメントを一時的に掛止するサブホルダーをテーブル本体の側面に配設して、従来テーブルの上や歯科治療用装置の椅子の上などに置いたインスツルメントが清掃時に前記インスツルメントに接続されたチューブに触れるなどして床面に落下する事故を防止することができるサブホルダーを設けた歯科治療用装置のテーブルを発明した（特願２０１３−０１０８８１）。
【先行技術文献】
【特許文献】
【０００４】
【特許文献１】特願２０１３−０１０８８１号
【発明の概要】
【発明が解決しようとする課題】
【０００５】
そして、本願発明者は、更なる開発を行い、前記サブホルダーを各種インスツルメントの形状や保持部の太さに関係なく、どのインスツルメントでも挿入・保持できる作業効率の高いものとし、かつ清浄が容易な歯科治療用装置のサブホルダーを提供する。
【課題を解決するための手段】
【０００６】
本発明者は鋭意実験研究の結果上記課題を下記の手段により解決した。
（１）歯科治療用装置のテーブル本体の側面に、インスツルメントを一時掛止するサブホルダーを設けてなる歯科治療用装置のサブホルダーにおいて、
前記サブホルダーが、複数のインスツルメント格納部を並設してなり、かつそれらの複数のインスツルメント格納部が、多種類のインスツルメントのいずれもを格納可能に構成されてなることを特徴とする歯科治療用装置のサブホルダー。
（２）歯科治療用装置のテーブル本体の側面に、インスツルメントを一時掛止するサブホルダーを設けてなる歯科治療用装置のサブホルダーにおいて、
サブホルダーが前記テーブル本体に対して着脱可能に装着されてなることを特徴とする歯科治療用装置のサブホルダー。
（３）歯科治療用装置のテーブル本体の側面に着脱可能に装着されてなるサブホルダーが、複数のインスツルメント格納部を並設してなり、かつそれらの複数のインスツルメント格納部が、多種類のインスツルメントのいずれもを格納可能に構成されてなることを特徴とする前記（２）に記載の歯科治療用装置のサブホルダー。
【０００７】
（４）歯科治療用装置のテーブル本体の側面に、インスツルメントを一時掛止するサブホルダーを設けてなる歯科治療用装置のサブホルダーにおいて、
前記サブホルダーが、複数のインスツルメント格納部を並設してなるサブホルダーユニットと、該サブホルダーユニットを支持して歯科治療用装置のテーブル本体の側面に取り付ける取付部材とからなり、前記サブホルダーユニットが前記取付部材に着脱自在に取り付けられてなることを特徴とする歯科治療用装置のサブホルダー。
（５）前記サブホルダーユニットのインスツルメント格納部が多種類のインスツルメントのいずれもを格納可能に構成されてなることを特徴とする前記（４）に記載の歯科治療用装置のサブホルダー。
【０００８】
（６）前記取付部材が、歯科治療用装置のテーブル下面に着脱自在に取り付けられてなることを特徴とする前記（４）又は（５）に記載の歯科治療用装置のサブホルダー。
（７）前記サブホルダーをその不使用時に歯科治療用装置のテーブル本体下面に収納可能にしてなることを特徴とする前記（１）〜（６）のいずれか１項に記載の歯科治療用装置のサブホルダー。
（８）前記サブホルダーをその不使用時にテーブル本体の下面にスライドさせて移動収容するスライド機構を設けてなることを特徴とする前記（１）〜（７）のいずれか１項に記載の歯科治療用装置のサブホルダー。
【０００９】
（９）前記インスツルメント格納部が、円筒形状体で前面にインスツルメントに接続されたチューブの出入りを可能にするスリットを有し、かつ前記円筒形状体が上部円筒形状体と下部円筒形状体との２段構造をなし、かつ上部円筒形状体の内径が下部の円筒形状体の内径より太く形成されてなることを特徴とする前記（１）〜（８）のいずれか１項に記載の歯科治療用装置のサブホルダー。
（１０）前記並設された複数のインスツルメント格納部のいずれもが、その上部円筒形状体の内径を最も太いインスツルメントの外径より大きく、下部の円筒形状体の内径を最も細いインスツルメントの外径より小さく、さらにスリットの幅を最も太いインスツルメントチューブの外径より広くとった同一形状のものであることを特徴とする前記（１）〜（９）のいずれか１項に記載の歯科治療用装置のサブホルダー。
（１１）前記サブホルダーユニットが、並設されたインスツルメント格納部の上端部を板状体で連結、一体化されてなり、かつ該板状体の左右両端部が延伸され、その先端下部には下端部に係止爪を有する固定片が垂設されてなることを特徴とする前記（４）〜（１０）のいずれか１項に記載の歯科治療用装置のサブホルダー。
【００１０】
（１２）前記スライド機構が、テーブル本体の下面に所定間隔を開けて固着された断面コの字状の２本のガイドレールと、前記２本のガイドレール間に挿入されて摺動する取付部材とからなり、前記取付部材が前端部にサブホルダーを備え、又は前記サブホルダーユニットを着脱自在に装着してなることを特徴とする前記（８）に記載の歯科治療用装置のサブホルダー。
【００１１】
（１３）前記取付部材の前端部にサブホルダーユニットを着脱自在に装着して保持するサブホルダーユニット装着保持部が形成され、前記取付部材の前部の左右両端部に前記サブホルダーユニットの板状体の左右両端部に垂設された固定片の先端の係止爪を挿入してサブホルダーユニットを取付部材に係止可能にする係止孔が穿設されてなることを特徴とする前記（１２）に記載の歯科治療用装置のサブホルダー。
【発明の効果】
【００１２】
本発明の歯科治療用装置のサブホルダーにおいて、下記の効果が発揮される。
〈１〉歯科治療用装置のテーブル本体の側面に、インスツルメントを一時掛止するサブホルダーを設けてなる歯科治療用装置のサブホルダーにおいて、
前記サブホルダーが、複数のインスツルメント格納部を並設してなり、かつそれらの複数のインスツルメント格納部が、多種類のインスツルメントのいずれもを格納可能に構成されているので、
インスツルメントホルダーの清掃の際など、多種類のインスツルメントを一時サブホルダーに掛止するのに当たって、インスツルメントごとに掛止するインスツルメント格納部を注意を払って選択する必要がなく、作業効率の向上が図れる。
〈２〉サブホルダーが歯科治療用装置のテーブル本体の側面に着脱可能に装着されているので、サブホルダーは随時前記テーブルの側面から取り外して洗浄、消毒できることから清潔に保たれ、さらにサブホルダー使用前に取り外し清掃、消毒すれば、サブホルダーへのインスツルメント掛止による衛生面の不安はなくなる。
【００１３】
〈３〉歯科治療用装置のテーブル本体の側面に、インスツルメントを一時掛止するサブホルダーを設けてなる歯科治療用装置のサブホルダーにおいて、前記サブホルダーが、複数のインスツルメント格納部を並設してなるサブホルダーユニットと、該サブホルダーユニットを支持して歯科治療用装置のテーブル本体の側面に取り付ける取付部材とからなり、前記サブホルダーユニットが前記取付部材に着脱自在に取り付けられているので、
サブホルダーユニットは随時取り外して洗浄、消毒できることから清潔に保たれ、さらにサブホルダーユニット使用前に取り外し清掃、消毒すれば、サブホルダーユニットへのインスツルメント掛止による衛生面の不安はなくなる。
【００１４】
〈４〉サブホルダーをその不使用時に歯科治療用装置のテーブル本体下面に収納可能にしているので、サブホルダー不使用時に該サブホルダーが前記テーブルの側面に突出せず治療の邪魔にならない。
〈５〉サブホルダーをその不使用時にテーブル本体の下面にスライドさせて移動収容するスライド機構を設けているので、サブホルダーのテーブル下面への出し入れが容易に行える。
【００１５】
〈６〉並設された複数のインスツルメント格納部が、円筒形状体で前面にインスツルメントに接続されたチューブの出入りを可能にするスリットを有し、かつ前記円筒形状体が上部円筒形状体と下部円筒形状体との２段構造をなし、かつ上部円筒形状体の内径が下部の円筒形状体の内径より太く形成されてなるので、インスツルメントのサブホルダーへの掛止が容易に、かつ脱落等の虞もなく安全、確実に実施できる。
〈７〉並設された複数のインスツルメント格納部のいずれもが、その上部円筒形状体の内径を最も太いインスツルメントの外径より大きく、下部の円筒形状体の内径を最も細いインスツルメントの外径より小さく、さらにスリットの幅を最も太いインスツルメントチューブの外径より広くとった同一形状のものであるので、前記〈１〉の効果と同様、インスツルメントホルダーの清掃の際など、多種類のインスツルメントを一時サブホルダーに掛止するに当たって、インスツルメントごとに掛止するインスツルメント格納部を注意を払って選択する必要がなく、作業効率の向上が図れる。
【００１６】
〈８〉サブホルダーユニットが、並設された格納部の上端部を板状体で連結、一体化されてなり、かつ該板状体の左右両端部が延伸され、その先端下部には下端部に係止爪を有する固定片が垂設されているので、
後述する取付部材の前部の左右両端部に穿設された係止孔に前記固定片先端の係止爪を挿入することによって前記サブホルダーユニットが取付部材に確実に装着できる。
【００１７】
〈９〉スライド機構が、テーブル本体の下面に所定間隔を開けて固着された断面コの字状の２本のガイドレールと、前記２本のガイドレール間に挿入されて摺動する取付部材とからなり、前記取付部材が前端部にサブホルダーを備え、又は前記サブホルダーユニットを着脱自在に装着してなるので、
前記取付部材を２本のガイドレースに沿わせてスライドさせることによって容易に前記サブホルダー又はサブホルダーユニットを前記テーブルの下面に収納し、また引き出すことができる。
〈１０〉取付部材の前端部に前記サブホルダーユニットの下段の外形に合わせ形成され、サブホルダーユニットを着脱自在に装着して保持するサブホルダーユニット装着保持部が備えられ、前記取付部材の前部の左右両端部に前記サブホルダーユニットの板状体の左右両端部に垂設された規定板の先端の係止爪を挿入してサブホルダーユニットを取付部材に係止可能にする係止孔が穿設されているので
サブホルダーユニットの下端を、取付部材の前端部に形成されたサブホルダーユニット装着保持部に挿入することによって、２段構造をしたサブホルダーユニットの上部円筒形状体の下部が取付部材前端部のサブホルダーユニット装着保持部の上面に当接して支持され、かつ前記サブホルダーユニットの固定片先端下部の係止爪が取付部材の係止孔に挿入されてスライド下面に係止され、サブホルダーユニットと取付部材とが確実に固定され、またサブホルダーユニットを取付部材から取り外すときには、取付部材の係止孔に挿入されたサブホルダーユニット左右両端の固定片先端の係止爪を前記係止孔から離脱させながらサブホルダーユニットを上方に引き出すことによって容易に取り外せることから、サブホルダーユニットの洗浄、消毒が容易にでき、常に清潔で衛生的な状態が確保される。
【図面の簡単な説明】
【００１８】
【図１】本発明のサブホルダー装置を側面に配設したテーブルの斜視図
【図２】本発明のサブホルダーユニット（ａ）と取付部材（ｂ）の斜視図
【図３】本発明のサブホルダーユニットを取付部材に装着した状態の斜視図
【図４】本発明のサブホルダーのスライド機構の説明図
【図５】本発明のサブホルダーを配置した歯科治療用装置のテーブルの使用状態の斜視図
【発明を実施するための形態】
【００１９】
本発明のサブホルダーを実施するための形態を、実施例の図に基づいて説明する。
図１は本発明のサブホルダー装置を側面に配設したテーブルの斜視図であり、図２は本発明のサブホルダーユニット（ａ）と取付部材（ｂ）との斜視図、図３は本発明のサブホルダーユニットを取付部材に装着した状態の斜視図、図４は本発明のサブホルダーのスライド機構の説明図、図５は本発明のサブホルダーを配置した歯科治療用装置のテーブルの使用状態の斜視図である。
図において１はサブホルダーユニット、２はインスツルメント格納部、３は並設されたインスツルメント格納部の上部を連結一体化する板状体、４は格納部の上部円筒形状体、５は格納部の下部円筒形状体、６はスリット、７は固定片、８は係止爪、１０は取付部材、１１は係止孔、１２はサブホルダーユニット装着保持部、１３はピン装着用小孔、２０はテーブル本体、２１は断面コの字型のガイドレール、２２はピン挿入用長孔、３０はインスツルメント、３１はインスツルメントチューブ、１００はサブホルダーを示す。
【００２０】
図１に示すように、歯科治療用装置のテーブル本体２０の側面に配置される本発明のサブホルダー１００は、複数のインスツルメント格納部２を並設してなり、該格納部２は様々な種類のインスツルメントのいずれをも格納できるよう構成されている。
また、本発明のサブホルダー１００は、取付部材１０をテーブル側面から取り外し可能に構成されている。
本発明のサブホルダー１００は、図２（ａ）に示すサブホルダーユニット１と図２（ｂ）に示す取付部材１０とから構成され、前記サブホルダーユニット１と取付部材１０は、着脱自在に取り付けられる構成となっている。図３は本発明のサブホルダーユニットを取付部材に装着した状態の斜視図である。
なお、取付部材１０は、サブホルダーユニット１を支持するものであり、同時に、装着されるサブホルダーユニット１を歯科治療用装置テーブル本体２０の下面に移動収納するための機能を有する。
【００２１】
本発明のサブホルダー１００を構成するサブホルダーユニット１は、図２（ａ）に示すように、円筒形状で前面にインスツルメントに接続されたチューブの出入りを可能にするスリット６を設けた複数のインスツルメント格納部２を並設し、その上端部が板状体３で連結、一体化され、かつ該板状体３の左右両端部が延伸され、その先端下部には下端部に係止爪８を有する固定片７が垂設されており、さらに前記インスツルメント格納部２が、上部の円筒形状体４と下部円筒形状体５との２段構造をなし、かつ上部円筒形状体４の内径が下部円筒形状体５の内径より太く形成されている。
そして、並設された複数のインスツルメント格納部２のすべてが、その上部円筒形状体４の内径を使用されるインスツルメントのうち最も太いインスツルメントの外径より大きく、下部円筒形状体５の内径を最も細いインスツルメントの外径より小さく、さらにスリット６の幅を最も太いインスツルメントチューブの外径より広くとった同一形状に形成されている。
したがって、形状の異なる多様なインスツルメントのいずれもが、並設されたインスツルメント格納部２のいずれに挿入されても、安全確実に保持されることになり、歯科治療用装置のテーブルのインスツルメントホルダー清掃作業の際に、その順序や格納部の位置を考慮することなくインスツルメントをサブホルダーに移動できるので作業能率の向上が図れる。
【００２２】
また図２（ｂ）に示す本発明のサブホルダー１００を構成する取付部材１０は、前記サブホルダーユニット１を着脱自在に保持する。例えば、テーブル本体の下面に所定間隔を開けて固着された断面コの字状の２本のガイドレールに挿入されて摺動し、前端部に保持した前記サブホルダーユニット１を不使用時にテーブル本体の下面に収納する板状体からなる。さらに、サブホルダーユニット１を保持する前端部が、前記サブホルダーユニット１の下部円筒形状体５の外形に合わせて切り込まれてサブホルダーユニット装着保持部１２を形成し、該サブホルダーユニット装着保持部１２の左右両端部に、前記サブホルダーユニット１の左右両端部に垂設された固定片７を挿入してその先端の係止爪８によってサブホルダーユニット１を取付部材１０に係止可能にする係止孔１１が穿設され、さらにまた、前記取付部材の後端部中央にテーブル下面に設けられたスライドさせる長さのピン挿入用長孔に差し込むピンを装着するピン装着用小孔１３が穿設されている。
【００２３】
前記サブホルダーユニット１の取付部材１０への取り付けは、サブホルダーユニット１の下端を、サブホルダーユニット１の下部円筒形状体５に合わせて切り込まれた取付部材１０の中央部のサブホルダー装着保持部１２に上方から挿入し、２段構造をしたサブホルダーユニット１の左右両端に位置するインスツルメント格納部２を構成する下部円筒形状体５の外径を上部円筒形状体４の外径より小さくしておくことにより、上部円筒形状体４の下部面を前記取付部材１０のサブホルダーユニット装着保持部１２の両端部上面に当接させ、かつ前記サブホルダーユニット１の固定片７の先端下部の係止爪８を取付部材１０の係止孔１１に挿入させて、該係止爪８を取付部材１０の下面に係止することによって行われ、サブホルダーユニット１は、前記上部円筒形状体４の下部面と係止爪８とによって取付部材１０に確実に固定される。
そして、サブホルダーユニット１の取付部材１０からの取り外しは、取付部材１０の係止孔１１に挿入された前記係止爪８を左右の固定片７を内側に押し曲げるようにして前記係止孔１１から離脱させながらサブホルダーユニット１を上方に引き出すことによって行う。したがってサブホルダーユニット１の取付部材１０への着脱はきわめて容易であり、サブホルダーユニット１は必要に応じて随時取り外して洗浄でき、常に清潔で衛生的な状態で保持できる。
また取付部材１０も後端中央部に設けられたピン装着用小孔１３に挿入されたピンを抜くことによって、図４に示すテーブル本体２０下面に設けられたコの字形状のガイドレール２１から容易に抜き取って洗浄でき、常に清潔な状態で保持できる。
なお、本実施例において、サブホルダーユニット１と取付部材１０の装着は、係止孔１１への固定片７の挿入により行っているが、サブホルダーユニット１と取付部材１０の装着は、着脱自在であれば、他の装着方法を採用することもできる。
【００２４】
次いで図４に基づいて、本発明のサブホルダーのスライド機構の構成と作用について説明する。
本発明のサブホルダーのスライド機構は、図４に示すように、テーブル本体２０の下面に所定間隔を開けて固着された断面コの字状の２本のガイドレール２１と、前記２本のガイドレール間に挿入されて摺動する前記取付部材１０と、テーブル本体２０下面に穿設された前記取付部材１０をスライドさせる長さ、すなわち前記サブホルダーユニット１をテーブル本体２０の下面から出し入れするのに必要な長さのピン挿入用長孔２２と、前記取付部材１０のピン装着用小孔１３に装着されその先端が前記テーブル本体２０の下面に穿設されたピン挿入用長孔に差し込まれるピン（図示せず）とで構成されている。
したがって、図４（ａ）に示すように、前記ピンを取付部材１０のピン装着小孔から抜き取れば、取付部材１０は、テーブル本体２０の下面から取り外せ、図４（ｂ）に示すように、取付部材１０を２本のガイドレール２１間に挿入し、ピン挿入用小孔１３にピンを装着し、ピンの先端を前記テーブル本体２０下面のピン挿入用長孔２２に挿入しておけば、取付部材１０は、ピン挿入用長孔２２の長さの範囲内でスライドでき、サブホルダーユニット１のテーブル本体２０下面からの出し入れが安全容易に行える。
【００２５】
上記に詳述した本発明のサブホルダー１００は、その最も好ましい一実施例に過ぎず、これに限られるものではなく、例えばサブホルダーユニット１と取付部材とが一体としてなるものであってもよく、またサブホルダー１００をテーブル本体２０の下面に収納する機構も、その目的が達成できればスライド機構以外のものであってよい。
したがって、歯科治療用装置のテーブル側面に設けられ、インスツルメントを一時掛止するサブホルダー１００が、衛生的に管理でき、かつ施術者にとって使い勝手のよいサブホルダー１００が提供できる形状、構成であればその形状や構成を適用することを妨げるものではない。
【００２６】
図５に本発明のサブホルダー１００を装着した歯科治療用装置のテーブル２０においてインスツルメント３０を該サブホルダー１００に掛止した使用状態の斜視図を示した。
この状態でテーブル本体２０に設けられたインスツルメントホルダー２３の清掃ができるので、衛生的で、かつ清掃作業中にインスツルメント３０とテーブル本体との間に懸架されたインスツルメントチューブ３１に触れてもインスツルメント３０が、床面に落下する心配がなく、安全に作業ができ作業能率の向上が図れる。
【符号の説明】
【００２７】
１：サブホルダーユニット
２：インスツルメント格納部
３：並設されたインスツルメント格納部の上部を連結一体化する板状体
４：格納部の上部円筒形状体
５：格納部の下部円筒形状体
６：スリット
７：固定片
８：係止爪
１０：取付部材
１１：係止孔
１２：サブホルダーユニット装着保持部
１３：ピン装着用小孔
２０：テーブル本体
２１：断面コの字型のガイドレール
２２：ピン挿入用長孔
２３：インスツルメントホルダー
３０：インスツルメント
３１：インスツルメントチューブ
１００：サブホルダー
【図１】
2015217133.tif 000003
【図２】
2015217133.tif 000004
【図３】
2015217133.tif 000005
【図４】
2015217133.tif 000006
【図５】
2015217133.tif 000007